【手続補正書】
【提出日】平成19年3月12日(2007.3.12)
【手続補正１】
【補正対象書類名】明細書
【補正対象項目名】発明の名称
【補正方法】変更
【補正の内容】
【発明の名称】情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】  他の情報処理装置に対応するユーザの分身としてのアバタが活動する共有仮想空間において活動するアプリケーションオブジェクトを制御する情報処理装置において、
前記共有仮想空間において活動する前記アバタの分布を調査する分布調査手段と、
前記分布調査手段による調査の結果に対応して、前記アプリケーションオブジェクトの位置を制御する位置制御手段と、
前記位置制御手段により位置が制御される前記アプリケーションオブジェクトによる情報の表示を制御する表示制御手段と
を備えることを特徴とする情報処理装置。
【請求項２】  前記表示制御手段は、前記アプリケーションオブジェクトに広告を表示させる
ことを特徴とする請求項１に記載の情報処理装置。
【請求項３】  他の情報処理装置に対応するユーザの分身としてのアバタが活動する共有仮想空間において活動するアプリケーションオブジェクトを制御する情報処理装置の情報処理方法において、
前記共有仮想空間において活動する前記アバタの分布を調査する分布調査ステップと、
前記分布調査ステップの処理による調査の結果に対応して、前記アプリケーションオブジェクトの位置を制御する位置制御ステップと、
前記位置制御ステップの処理により位置が制御される前記アプリケーションオブジェクトによる情報の表示を制御する表示制御ステップと
を含むことを特徴とする情報処理方法。
【請求項４】  他の情報処理装置に対応するユーザの分身としてのアバタが活動する共有仮想空間において活動するアプリケーションオブジェクトを制御する情報処理装置のプログラムにおいて、
前記共有仮想空間において活動する前記アバタの分布を調査する分布調査ステップと、
前記分布調査ステップの処理による調査の結果に対応して、前記アプリケーションオブジェクトの位置を制御する位置制御ステップと、
前記位置制御ステップの処理により位置が制御される前記アプリケーションオブジェクトによる情報の表示を制御する表示制御ステップと
を含むことを特徴とするコンピュータが読み取り可能なプログラムが格納されている記録媒体。
【請求項５】  他の情報処理装置に対応するユーザの分身としてのアバタが活動する共有仮想空間において活動するアプリケーションオブジェクトを制御する情報処理装置において、
前記共有仮想空間において活動する前記アバタの属性を調査する属性調査手段と、
前記属性調査手段による調査の結果に対応して、前記アプリケーションオブジェクトによる情報の表示を制御する表示制御手段と
を備えることを特徴とする情報処理装置。
【請求項６】  前記属性調査手段による調査の結果に対応して、前記アプリケーションオブジェクトの位置を制御する位置制御手段をさらに備える
ことを特徴とする請求項５に記載の情報処理装置。
【請求項７】  前記表示制御手段は、前記アプリケーションオブジェクトに広告を表示させる
ことを特徴とする請求項５に記載の情報処理装置。
【請求項８】  他の情報処理装置に対応するユーザの分身としてのアバタが活動する共有仮想空間において活動するアプリケーションオブジェクトを制御する情報処理装置の情報処理方法において、
前記共有仮想空間において活動する前記アバタの属性を調査する属性調査ステップと、
前記属性調査ステップの処理による調査の結果に対応して、前記アプリケーションオブジェクトによる情報の表示を制御する表示制御ステップと
を含むことを特徴とする情報処理方法。
【請求項９】  他の情報処理装置に対応するユーザの分身としてのアバタが活動する共有仮想空間において活動するアプリケーションオブジェクトを制御する情報処理装置のプログラムにおいて、
前記共有仮想空間において活動する前記アバタの属性を調査する属性調査ステップと、
前記属性調査ステップの処理による調査の結果に対応して、前記アプリケーションオブジェクトによる情報の表示を制御する表示制御ステップと
を含むことを特徴とするコンピュータが読み取り可能なプログラムが格納されている記録媒体。
【請求項１０】  他の情報処理装置に対応するユーザの分身としてのアバタが活動する共有仮想空間において活動するアプリケーションオブジェクトを制御する情報処理装置において、
前記共有仮想空間において活動する前記アバタの分布又は属性の少なくとも一方を調査する調査手段と、
前記調査手段による調査の結果に対応して、前記アプリケーションオブジェクトの位置を制御する位置制御手段と、
前記アプリケーションオブジェクトによる情報の表示を制御する表示制御手段と、
前記アプリケーションオブジェクトに対して所定の範囲内に位置する前記アバタの数を計数する計数手段と、
前記計数手段による計数結果に基づいて、前記表示制御手段により表示が制御された情報に対する課金の処理を行う課金手段と
を備えることを特徴とする情報処理装置。
【請求項１１】  前記計数手段は、前記アバタの属性に基づいて、前記アバタの数を重み付けする
ことを特徴とする請求項１０に記載の情報処理装置。
【請求項１２】  他の情報処理装置に対応するユーザの分身としてのアバタが活動する共有仮想空間において活動するアプリケーションオブジェクトを制御する情報処理装置の情報処理方法において、
前記共有仮想空間において活動する前記アバタの分布又は属性の少なくとも一方を調査する調査ステップと、
前記調査ステップの処理による調査の結果に対応して、前記アプリケーションオブジェクトの位置を制御する位置制御ステップと、
前記アプリケーションオブジェクトによる情報の表示を制御する表示制御ステップと、
前記アプリケーションオブジェクトに対して所定の範囲内に位置する前記アバタの数を計数する計数ステップと、
前記計数ステップの処理による計数結果に基づいて、前記表示制御ステップの処理により表示が制御された情報に対する課金の処理を行う課金ステップと
を含むことを特徴とする情報処理方法。
【請求項１３】  他の情報処理装置に対応するユーザの分身としてのアバタが活動する共有仮想空間において活動するアプリケーションオブジェクトを制御する情報処理装置のプログラムにおいて、
前記共有仮想空間において活動する前記アバタの分布又は属性の少なくとも一方を調査する調査ステップと、
前記調査ステップの処理による調査の結果に対応して、前記アプリケーションオブジェクトの位置を制御する位置制御ステップと、
前記アプリケーションオブジェクトによる情報の表示を制御する表示制御ステップと、
前記アプリケーションオブジェクトに対して所定の範囲内に位置する前記アバタの数を計数する計数ステップと、
前記計数ステップの処理による計数結果に基づいて、前記表示制御ステップの処理により表示が制御された情報に対する課金の処理を行う課金ステップと
を含むことを特徴とするコンピュータが読み取り可能なプログラムが格納されている記録媒体。
【手続補正３】
【補正対象書類名】明細書
【補正対象項目名】０００１
【補正方法】変更
【補正の内容】
【０００１】
【発明の属する技術分野】
本発明は情報処理装置および方法、並びに記録媒体に関し、特に、共有仮想空間において活動するアバタを介して、効率的、かつ、効果的に、広告情報を提供できるようにした情報処理装置および方法、並びに記録媒体に関する。
【手続補正４】
【補正対象書類名】明細書
【補正対象項目名】００１５
【補正方法】変更
【補正の内容】
【００１５】
本発明の第１の記録媒体のプログラムは、共有仮想空間において活動するアバタの分布を調査する分布調査ステップと、分布調査ステップの処理による調査の結果に対応して、アプリケーションオブジェクトの位置を制御する位置制御ステップと、位置制御ステップの処理により位置が制御されるアプリケーションオブジェクトによる情報の表示を制御する表示制御ステップと含むことを特徴とする。
【手続補正５】
【補正対象書類名】明細書
【補正対象項目名】００１６
【補正方法】変更
【補正の内容】
【００１６】
本発明の第１の情報処理装置および方法、並びに記録媒体のプログラムにおいては、アバタの分布に対応して、情報を表示するアプリケーションオブジェクトの位置が制御される。
【手続補正６】
【補正対象書類名】明細書
【補正対象項目名】００２１
【補正方法】変更
【補正の内容】
【００２１】
本発明の第２の記録媒体のプログラムは、共有仮想空間において活動するアバタの属性を調査する属性調査ステップと、属性調査ステップの処理による調査の結果に対応して、アプリケーションオブジェクトによる情報の表示を制御する表示制御ステップとを含むことを特徴とする。
【手続補正７】
【補正対象書類名】明細書
【補正対象項目名】００２２
【補正方法】変更
【補正の内容】
【００２２】
本発明の第２の情報処理装置および方法、並びに記録媒体のプログラムにおいては、アバタの属性に対応して、アプリケーションオブジェクトによる情報の表示が制御される。
【手続補正８】
【補正対象書類名】明細書
【補正対象項目名】００２６
【補正方法】変更
【補正の内容】
【００２６】
本発明の第３の記録媒体のプログラムは、共有仮想空間において活動するアバタの分布又は属性の少なくとも一方を調査する調査ステップと、調査ステップの処理による調査の結果に対応して、アプリケーションオブジェクトの位置を制御する位置制御ステップと、アプリケーションオブジェクトによる情報の表示を制御する表示制御ステップと、アプリケーションオブジェクトに対して所定の範囲内に位置するアバタの数を計数する計数ステップと、計数ステップの処理による計数結果に基づいて、表示制御ステップの処理により表示が制御された情報に対する課金の処理を行う課金ステップとを含むことを特徴とする。
【手続補正９】
【補正対象書類名】明細書
【補正対象項目名】００２７
【補正方法】変更
【補正の内容】
【００２７】
本発明の第３の情報処理装置および方法、並びに記録媒体のプログラムにおいては、アプリケーションオブジェクトに対して所定の範囲内に位置するアバタの数が計数され、その計数結果に基づいて、アプリケーションオブジェクトにより表示される情報に対する課金の処理が行われる。
【手続補正１０】
【補正対象書類名】明細書
【補正対象項目名】００９３
【補正方法】変更
【補正の内容】
【００９３】
【発明の効果】
以上の如く、本発明の第１の情報処理装置および方法、並びに記録媒体のプログラムによれば、アバタの分布に対応して、情報を表示するアプリケーションオブジェクトの位置を制御するようにしたので、効率的かつ効果的に、情報をアバタを介してユーザに提示することが可能となる。
【手続補正１１】
【補正対象書類名】明細書
【補正対象項目名】００９４
【補正方法】変更
【補正の内容】
【００９４】
本発明の第２の情報処理装置および方法、並びに記録媒体のプログラムによれば、アバタの属性に対応して、アプリケーションオブジェクトの情報の表示を制御するようにしたので、アバタを介してユーザに対して、効率的かつ効果的に、新規な情報を提示することが可能となる。
【手続補正１２】
【補正対象書類名】明細書
【補正対象項目名】００９５
【補正方法】変更
【補正の内容】
【００９５】
本発明の第３の情報処理装置および方法、並びに記録媒体のプログラムによれば、アバタの分布または属性の少なくとも一方に対応して、アプリケーションオブジェクトの位置を制御するとともに、アプリケーションオブジェクトに対して所定の範囲内に位置するアバタの数に基づいて、アプリケーションオブジェクトにより表示される情報に対する課金の処理を行うようにしたので、簡単かつ確実に、情報の提示の効果に対応する課金処理を行うことが可能となる。